(57)【要約】【課題】携行する複数の電子機器において要素の重複を削減する。【解決手段】電子機器であって、無線による近距離通信部を有する機器本体と、機器本体に取り付けられ、近距離通信部との間で無線による近距離通信をする相手機器を、通信可能範囲で移動可能に保持する保持部とを備える。上記電子機器において、近距離通信部は、保持部の内部に載置されてもよい。また、上記電子機器において、保持部は、相手機器を、機器本体の背面に重なって配される折り畳み状態と、機器本体の背面から離間した開放状態との間で移動可能であり、近距離通信部は、機器本体の背面の側に配されてもよい。【選択図】図５
2013165373.tif 000002
【特許請求の範囲】
【請求項１】
無線による近距離通信部を有する機器本体と、
前記機器本体に取り付けられ、前記近距離通信部との間で無線による近距離通信をする相手機器を、通信可能範囲で移動可能に保持する保持部と
を備える電子機器。
【請求項２】
前記近距離通信部は、前記保持部の内部に載置される請求項１に記載の電子機器。
【請求項３】
前記保持部は、前記相手機器を、前記機器本体の背面に重なって配される折り畳み状態と、前記機器本体の前記背面から離間した開放状態との間で移動可能であり、
前記近距離通信部は、前記機器本体の前記背面の側に配される請求項１に記載の電子機器。
【請求項４】
前記保持部に配され、前記相手機器が前記保持部に保持されているか否かを検出する検出部をさらに備える請求項１から３のいずれか１項に記載の電子機器。
【請求項５】
前記保持部は、前記機器本体からの電力を前記相手機器に供給する請求項１から４のいずれか１項に記載の電子機器。
【請求項６】
請求項１から５のいずれか１項に記載の電子機器を備える撮像装置。
【請求項７】
互いに無線による近距離通信する一対の電子機器と、
前記一対の電子機器を互いに通信可能範囲で移動可能に連結して保持する保持部と
を備える電子機器システム。
【請求項８】
前記一対の電子機器の一方が撮像装置であって、他方が表示装置である請求項７に記載の電子機器システム。
【請求項９】
前記表示装置は、姿勢を検出する姿勢検出部、および、前記姿勢検出部により検出された姿勢に基づいて表示の向きを変更する表示変更制御部を有する請求項８に記載の電子機器システム。
【発明の詳細な説明】
【技術分野】
【０００１】
本発明は、電子機器、撮像装置および電子機器システムに関する。
【背景技術】
【０００２】
無線信号を用いた近距離通信で、大容量信号を高速に転送できる（特許文献１参照）。
［特許文献１］  特開２００８−１５４１９８号公報
【発明の概要】
【発明が解決しようとする課題】
【０００３】
しかしながら、無線通信により互いに協働する機器であっても、複数の機器を同時に保持しつつ操作することは難しい。
【課題を解決するための手段】
【０００４】
本発明の第１の態様として、無線による近距離通信部を有する機器本体と、機器本体に取り付けられ、近距離通信部との間で無線による近距離通信をする相手機器を、通信可能範囲で移動可能に保持する保持部とを備える電子機器が提供される。
【０００５】
また、本発明の第二態様として、上記電子機器を備える撮像装置が提供される。更に、本発明の第三態様として、互いに無線による近距離通信する一対の電子機器と、一対の電子機器を互いに通信可能範囲で移動可能に連結して保持する保持部とを備える電子機器システムが提供される。
【０００６】
なお、上記の発明の概要は、本発明の必要な特徴の全てを列挙したものではない。これらの特徴群のサブコンビネーションもまた発明となり得る。
【図面の簡単な説明】
【０００７】
【図１】カメラボディ１００の背面図である。
【図２】撮像システム９９の背面図である。
【図３】撮像システム９９の背面図である。
【図４】撮像システム９９の平面図である。
【図５】撮像システム９９のブロック図である。
【図６】撮像システム９９の動作手順を示す流れ図である。
【図７】撮像システム９９の背面図である。
【図８】撮像システム９９の平面図である。
【図９】保持部１７０および中継部１９０の拡大図である。
【図１０】保持部１７０の側面図である。
【発明を実施するための形態】
【０００８】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００９】
図１は、カメラボディ１００の背面図である。カメラボディ１００は、上面に、電源スイッチ１２０およびレリーズボタン１３０を備える。また、カメラボディ１００は、ファインダ１１０が開口する背面に、補助表示部１４０、押しボタン１５０および十字キー１６０を備える。更に、カメラボディ１００は、背面に設けられた保持部１７０に結合された中継部１９０を備える。
【００１０】
電源スイッチ１２０は、カメラボディ１００全体の動作を開始または停止する。レリーズボタン１３０は、ユーザが撮影のタイミングをカメラボディ１００に指示する場合に押し下げる。補助表示部１４０は、電源電池の消耗等、限られた情報を表示する。押しボタン１５０および十字キー１６０は、カメラボディ１００を単独で使用する場合に操作部として機能する。
【００１１】
保持部１７０は、固定部１７２、縦軸回転部１７４、横軸回転部１７６を有し、中継部１９０を支持する。固定部１７２は、カメラボディ１００に固定される。これに対して、縦軸回転部１７４は、縦回転軸ＸＶの周りを、固定部１７２に対して回転する。更に、横軸回転部１７６は、水平な横回転軸ＸＨの周りを、縦軸回転部１７４に対して横軸回転する。これにより、中継部１９０は、縦回転軸ＸＶおよび横回転軸ＸＨの周りを回転して、カメラボディ１００に対して任意の方向を向くことができる。
【００１２】
中継部１９０は、フック解除ボタン１９２、フック１９４、ダミーコネクタ１９６およびＢＮＣコネクタ１９８を有する。一対のフック解除ボタン１９２は、相互に近づく方向に押し込まれた場合に、互いに接近する方向に一対のフック１９４を変位させる。これにより、ダミーコネクタ１９６を挿し込んで中継部１９０に対して係止されていたものが取りはずし得る状態になる。
【００１３】
ＢＮＣコネクタ１９８は、中継部１９０を横軸回転部１７６に結合している。換言すれば、ＢＮＣコネクタ１９８のリングを回転させることにより、中継部１９０を横軸回転部１７６から取り外すことができる。
【００１４】
なお、カメラボディ１００は、意匠性および成形性に鑑みて、全体に三次元的な丸みを帯びた外形を有する。しかしながら、カメラボディ１００の背面において保持部１７０の図中右側に拡がる領域には、平坦な保持領域１８０が形成されている。
【００１５】
図２は、カメラボディ１００を含む撮像システム９９の背面図である。図１と共通の要素には同じ参照番号を付して重複する説明を省く。撮像システム９９は、カメラボディ１００にスマートフォン２００を装着して形成される。
【００１６】
スマートフォン２００は、携帯電話としての通話機能に加え、インストールしたソフトウエアに従って各種のデータを処理する機能を有する。ここで、各種のデータとは、テキストデータ、音声データ、画像データ等のデジタルデータを意味する。また、処理とは、各種データの保存、消去、加工の他、データを外部へ転送すること、および、外部から転送されたデータを受信することを含む。
【００１７】
スマートフォン２００は、カメラボディ１００の背面に沿って配される。図示の状態では、スマートフォン２００の背面に設けられた背面カメラ２１０が見えている。スマートフォン２００の図中左端は、ダミーコネクタ１９６を差し込まれて中継部１９０に結合されている。よって、スマートフォン２００は、中継部１９０と共に、カメラボディ１００に結合したまま縦軸回転および横軸回転できる。
【００１８】
なお、ダミーコネクタ１９６は、スマートフォン２００のドックコネクタに機械的に係合して、中継部１９０およびスマートフォン２００を結合し、且つ、スマートフォン２００を支持する。しかしながら、ダミーコネクタ１９６は、スマートフォン２００と間で信号を授受する接続端子は有していない。
【００１９】
ただし、ダミーコネクタ１９６は、スマートフォン２００が装着されているか否かを検出する検出端子は備えている。即ち、検出端子は、ダミーコネクタ１９６がスマートフォン２００のドックコネクタに差し込まれた場合に電気的に接続される一対の検出端子を含む。検出端子はＢＮＣコネクタ１９８を通じてカメラボディ１００に接続されている。これにより、カメラボディ１００は、検出端子を監視して、スマートフォン２００が装着されていること、あるいは、スマートフォン２００が取り外されたことを検出できる。
【００２０】
なお、スマートフォン２００に挿し込まれたダミーコネクタ１９６においては、フック１９４が、挿し込み方向と交差する方向に拡がって、ドックコネクタの側壁に係合する。これにより、スマートフォン２００の脱落が防止される。スマートフォン２００を取り外す場合は、フック解除ボタン１９２を押すことによりフック１９４の係合が解かれる。
【００２１】
図３は、撮像システム９９の背面図である。図２と共通の要素には同じ参照番号を付して重複する説明を省く。
【００２２】
図示の撮像システム９９においては、中継部１９０と共にスマートフォン２００を縦回転軸ＸＶの周りに回転させて、カメラボディ１００の側方にスマートフォン２００が突出している。また、図２では隠れていたスマートフォン２００の表面が見えている。
【００２３】
即ち、スマートフォン２００は、図中左側から順に、対面カメラ２２０、スピーカ２３０、表示部２４０、操作ボタン２５０およびマイクロフォン２６０を備える。スピーカ２３０およびマイクロフォン２６０は、スマートフォン２００を携帯電話として使用する場合に使用する。
【００２４】
対面カメラ２２０は、スマートフォン２００を操作しているユーザ自身を撮影する場合、例えば、テレビ電話機能を利用する場合に使用される。操作ボタン２５０は、通話の開始および終了の他、表示部２４０に初期メニューを表示させる場合等の指示をスマートフォン２００に入力する場合に使用される。
【００２５】
表示部２４０は、液晶表示板、有機液晶表示板等により形成され、高い表示解像度と深い表示色深度を有する。よって、表示部２４０は、多数のキャラクタの他、高精細な画像を表示できる。
【００２６】
また、表示部２４０はタッチパネル機能を有する。これにより、ユーザは、表示部２４０に表示されたオブジェクトに触れて、多様な指示をスマートフォン２００に入力できる。表示部２４０に表示されるオブジェクトは、スマートフォン２００にインストールされたソフトウエアにより生成され、表示される。よって、スマートフォン２００は、数少ない操作ボタン２５０では担い切れない多様な指示を受け付けることができる。
【００２７】
図４は、図３に示した状態の撮像システム９９を上方から見下ろした様子を示す平面図である。図３までに示した撮像システム９９と共通の要素には同じ参照番号を付して重複する説明を省く。
【００２８】
撮像システム９９において、カメラボディ１００の前面側には、グリップ１３２が配される。カメラボディ１００の図中右側に配されたグリップ１３２は、カメラボディ１００から前方に突出して、ユーザによるカメラボディ１００の把持を容易にする。
【００２９】
また、撮像システム９９において、カメラボディ１００の前面に配されたマウント１３４には、レンズユニット１３６が装着される。レンズユニット１３６は光学系を有し、カメラボディ１００の前方から入射した入射光をカメラボディ１００内で結像させる。
【００３０】
なお、レンズユニット１３６は、カメラボディ１００から取り外して、同じ規格のマウントを有する他のレンズユニット１３６と交換できる。これにより、カメラボディ１００は、用途に応じて様々なレンズユニット１３６を用いて撮影できる。
【００３１】
更に、撮像システム９９において、カメラボディ１００背面の保持部１７０には、近接無線転送カプラ１７１が内蔵される。また、スマートフォン２００も、中継部１９０の近傍に近接無線転送カプラ２７１を内蔵する。
【００３２】
近接無線転送カプラ１７１、２７１は、結合電極、共振スタブおよびグランドをそれぞれが有し、誘導電界により形成された微小電気双極子を媒介にして信号を伝送する。近接無線転送カプラ１７１、２７１が相互に接続されている場合は、大容量データを高速且つ安定に転送できる。近接無線転送カプラ１７１、２７１は、数センチメートル程度の近接状態では高い利得を有する一方、間隔が拡がると急速に信号が減衰する。
【００３３】
撮像システム９９において、中継部１９０は、保持部１７０内に位置する縦回転軸ＸＶまたは横回転軸ＸＨの周りに回転する。よって、中継部１９０にスマートフォン２００が結合された状態であれば、中継部１９０の縦軸回転または横軸回転によりスマートフォン２００を移動させても、近接無線転送カプラ１７１、２７１の間隔は一定に保たれる。よって、近接無線転送カプラ１７１、２７１は相互に信号の到達範囲１７３、２７３の内側に位置して、接続状態が保たれる。このように、保持部１７０に保持されたスマートフォン２００は、カメラボディ１００との間で近距離通信ができる範囲に保持される。
【００３４】
図５は、撮像システム９９の内部構造を模式的に示す背面図である。撮像システム９９は、カメラボディ１００およびスマートフォン２００を含む。図３までに既出の要素には同じ参照番号を付して重複する説明を省く。
【００３５】
カメラボディ１００は、ＣＰＵ１０５と、ＣＰＵ１０５に直接または間接に接続された複数の要素により形成される。ＣＰＵ１０５には、システムメモリ１０１およびメインメモリ１０２が接続される。システムメモリ１０１は、不揮発性記録媒体および読出専用記録媒体の少なくとも一方を含み、ＣＰＵ１０５が実行するファームウエア等を、電力の供給なしに保持する。メインメモリ１０２はＲＡＭを含み、ＣＰＵ１０５の作業領域として使用される。
【００３６】
ＣＰＵ１０５には、撮像部１０７も接続される。撮像部１０７は、撮像素子駆動部１１１、撮像素子１１２、アナログデジタル変換部１１３および内蔵画像処理部１１４を含む。撮像素子１１２は、ＣＣＤ、ＣＭＯＳ等の光電気器変換素子を含み、撮像素子駆動部１１１に駆動されたタイミングで被写体像を光電変換して画像信号を出力する。
【００３７】
撮像素子１１２から出力された画像信号は、アナログデジタル変換部１１３により離散化され、内蔵画像処理部１１４において画像データに変換される。内蔵画像処理部１１４は、画像データを生成する過程で、画像のホワイトバランス、シャープネス、ガンマ、階調補正、圧縮等を調整する場合もある。内蔵画像処理部１１４において生成された画像データは、メインメモリ１０２に一時保存され、最終的に、スマートフォン２００が有する二次記憶媒体２０７に保存される。
【００３８】
ＣＰＵ１０５には、合焦センサ１０３および測光センサ１０４も接続される。合焦センサ１０３は、カメラボディ１００に装着された光学系が形成した被写体像から合焦位置を検出する。これにより、ＣＰＵ１０５は、撮像素子１１２上に入射光束を結像させるべく光学系を制御する。測光センサ１０４は、上記光学系への入射光束の一部を受光して被写体輝度を検出する。これにより、ＣＰＵ１０５は、カメラボディ１００における適切な絞り開度、シャッタ速度等の撮影条件を算出する。
【００３９】
ＣＰＵ１０５には、近距離通信部１０６も接続される。近距離通信部１０６は、近接無線転送カプラ１７１を通じて、外部と大容量データを送受信できる。
【００４０】
スマートフォン２００は、ＣＰＵ２０５と、ＣＰＵ２０５に直接または間接に接続された要素により形成される。
【００４１】
ＣＰＵ２０５には、システムメモリ２０１およびメインメモリ２０２が接続される。システムメモリ２０１は、不揮発性記録媒体および読出専用記録媒体の少なくとも一方を含み、ＣＰＵ２０５が実行するファームウエア等を、電力の供給なしに保持する。
【００４２】
メインメモリ２０２はＲＡＭを含み、データおよびプログラムが格納される。また、メインメモリ２０２は、ＣＰＵ２０５がファームウエアおよびプログラムを実行する場合の作業領域として使用される。
【００４３】
また、ＣＰＵ２０５には、復調した信号をスピーカ２３０から出力する前にアナログ化するデジタルアナログ変換部２０８と、マイクロフォン２６０を通じて入力された音声を離散化するアナログデジタル変換部２０９も接続される。ＣＰＵ２０５は、これらスピーカ２３０およびマイクロフォン２６０を利用して、音声を発生し、また、音声を録音することができる。また、適切なソフトウエアを実装することにより、ＣＰＵ２０５は、警告音を発生すること、音声によりユーザの指示を受けること等もできる。
【００４４】
更に、ＣＰＵ２０５には、携帯電話としての通話を実現するベースバンド部２０３およびＲＦ部２０４が接続される。ベースバンド部２０３は、送信する搬送波を音声により変調し、受信した信号から搬送波を取り除く。また、音声情報に限らず、携帯電話回線を通じてデジタルデータを送受信する場合もある。更に、無線ＬＡＮネットワークに加入する場合もある。
【００４５】
また更に、ＣＰＵ２０５には、二次記憶媒体２０７が接続される。二次記憶媒体２０７としては、フラッシュメモリカード等の不揮発性記憶素子を備えた媒体が使用される。二次記憶媒体２０７の少なくとも一部は、スマートフォン２００から着脱して交換できる。
【００４６】
また更に、ＣＰＵ２０５には、近距離通信部２０６も接続される。近距離通信部２０６は、近接無線転送カプラ２７１を通じて、外部と大容量データを送受信できる。
【００４７】
上記のような撮像システム９９において、スマートフォン２００が中継部１９０に保持された状態では、図４を参照して既に説明した通り、カメラボディ１００の近接無線転送カプラ１７１と、スマートフォン２００の近接無線転送カプラ２７１とが、互いに接近した状態に保たれる。よって、カメラボディ１００とスマートフォン２００との間では、大容量のデータを高速且つ安定に送受信できる。また、例えば、スマートフォン２００を操作して発生した指示を、カメラボディ１００に高速に伝送できる。
【００４８】
ここで、カメラボディ１００およびスマートフォン２００の間は近接無線伝送により接続されているので、導体を接触させて信号を伝播させる接続機構は用いられない。よって、端子の磨耗、汚れ等による導通不良が生じることがない。
【００４９】
既に説明したように、カメラボディ１００は、撮像部１０７と、撮像部１０７に像を結ぶレンズユニット１３６とを備える。スマートフォン２００は、タッチパネルでもある表示部２４０と、画像データを含むデータ処理を実行するソフトウエアの実行環境が実装されている。更に、カメラボディ１００およびスマートフォン２００は、近接無線転送カプラ１７１、２７１を通じて、高速且つ大容量のデータを相互に送受信できる。よって、撮像システム９９は、全体として高機能なデジタルカメラとしての要素を完備し、且つ、ハードウエア資源の重複が少ない。
【００５０】
撮像システム９９において、カメラボディ１００は、大型表示部等、スペースを占有し、且つ、コストも高い部品を省略できる。よって、それにより空いたスペースを利用して、大型化することなく電池容量等を拡大できる。
【００５１】
また、撮影した画像データの処理をスマートフォン２００に担わせることにより、カメラボディ１００側の資源を高速連写、高品質撮影等に割り振ることができる。更に、スマートフォン２００が備えるＧＰＳユニット２１１、加速センサ２１２等の機能を、撮像システム９９においても利用できるので、専用の撮影装置よりも更に高機能化することができる。
【００５２】
即ち、ＧＰＳユニット２１１を利用して、撮影画像に撮影場所の情報を付加できる他、加速センサ２１２を利用して、カメラの向き、姿勢等を検出することもできる。更に、スマートフォン２００に実装されたゲーム、ワンセグ視聴、音楽プレーヤなどの各種アプリケーションを、撮像システム９９においても利用できる。
【００５３】
また、スマートフォン２００は、無線回線を通じてデータ転送ができるので、撮影しながら撮影画像を転送して、撮影状況を直ちに他の場所に配信できる。また、撮像システム９９で撮影した画像をクラウドサーバに転送して、撮像システム９９の格納負荷を軽減することもできる。
【００５４】
このような撮像システム９９は、撮影装置として高い機能と性能を有する。また、重複するハードウエア資源が少ないので、ユーザの携行品全体としては、小型化、軽量化が図れる。
【００５５】
なお、システムメモリ１０１、２０１、メインメモリ２０２、２０２、ＣＰＵ１０５、２０５等のように、一部のハードウエア資源は、カメラボディ１００とスマートフォン２００の双方にそれぞれ装備される。また、表示部２４０と補助表示部１４０のように、双方に設けることで利便性を向上させることができるものもある。更に、二次記憶媒体２０７をカメラボディ１００側にも装備させて、データ保存の信頼性を向上させてもよい。
【００５６】
図６は、撮像システム９９の動作手順を示す流れ図である。撮像システム９９において携帯電話でもあるスマートフォン２００の電源は常時投入されている。これに対して、カメラボディ１００は、撮影を開始する前に電源スイッチ１２０を押すことにより電源が投入される。
【００５７】
カメラボディ１００の電源が投入された場合、カメラボディ１００のＣＰＵ１０５は、保持部１７０にスマートフォン２００が保持されているか否かを調べる（ステップＳ１０１）。スマートフォン２００が保持されていない場合（ステップＳ１０１：ＮＯ）、ＣＰＵ１０５は待機状態になる。
【００５８】
保持部１７０にスマートフォン２００が装着された場合（ステップＳ１０１：ＹＥＳ）、その旨を検出したＣＰＵ１０５は、近接無線転送カプラ１７１を有効にして、スマートフォン２００のＣＰＵ２０５とハンドシェイクを開始する（ステップＳ１０２）。これにより、カメラボディ１００のＣＰＵ１０５とスマートフォン２００のＣＰＵ２０５は、互いに接続された機器の仕様を把握して、実行可能なプログラムをメインメモリ１０２にロードする。
【００５９】
次に、スマートフォン２００のＣＰＵ２０５は、把握したカメラボディ１００の仕様に応じて、当該カメラボディ１００を操作する場合に有効なオブジェクトを、タッチパネル機能を有する表示部２４０に配置する（ステップＳ１０３）。また、カメラボディ１００に設定された動作モードに応じて、例えばライブビューモードの場合は、カメラボディ１００から受信した被写界画像を表示部２４０に表示する。
【００６０】
続いて、撮像システム９９は、ユーザがレリーズボタン１３０を押し下げるまで待機する（ステップＳ１０４：ＮＯ）。あるタイミングにレリーズボタン１３０が押し下げられた場合（ステップＳ１０４：ＹＥＳ）、カメラボディ１００のＣＰＵ１０５は、撮像部１０７に撮影動作を実行させる（ステップＳ１０５）。これにより、カメラボディ１００の撮像部１０７は、撮影画像データを生成する。
【００６１】
更に、撮像システム９９は、生成した画像データを、近接無線転送カプラ１７１、２７１を通じてスマートフォン２００に転送する（ステップＳ１０６）。スマートフォン２００において、ＣＰＵ２０５は、受信した画像データに対して画像処理を実行する（ステップＳ１０７）。これにより、撮影により生成された画像データは、画質を調整された上で圧縮される。
【００６２】
更に、スマートフォン２００は、画像処理した画像データを、二次記憶媒体２０７に格納する（ステップＳ１０８）。こうして、レリーズボタン１３０を押したことにより取得される画像の処理が完了する。ただし、カメラボディ１００は、ステップＳ１０６においてスマートフォン２００に画像データを転送した時点で、当該画像データの処理から解放される。よって、スマートフォン２００における画像処理および格納処理の終了を待たずに次の撮影を開始できる。
【００６３】
一方、画像処理した画像データを二次記憶媒体に格納したスマートフォン２００のＣＰＵ２０５は、格納した画像データを外部に転送することが指示されているか否かを調べる（ステップＳ１０９）。格納した画像データを外部に転送することが指示されている場合（ステップＳ１０９：ＹＥＳ）、スマートフォン２００のＣＰＵ２０５は、３Ｇ回線、ＣＤＭＡ回線等の携帯電話としての通信回線を利用したデータ通信機能を起動して、当該画像データを外部に転送する。更に、ＣＰＵ２０５は、当該画像データの外部への転送が終了するまで待機する（ステップＳ１１０：ＮＯ）。
【００６４】
ステップＳ１０９において画像を転送することが指示されていない場合（ステップＳ１０９：ＮＯ）、および、ステップＳ１１０において画像データの外部への転送が終了した場合（ステップＳ１１０：ＹＥＳ）、ＣＰＵ２０５は、カメラボディ１００の電源が切断されていないかどうかを調べる（ステップＳ１１１）。カメラボディ１００の電源が切断されていた場合（ステップＳ１１０：ＹＥＳ）、スマートフォン２００のＣＰＵ２０５は、撮像システム９９の一部としての処理を終了し、単独のスマートフォン２００として待機状態になる。
【００６５】
カメラボディ１００の電源が切断されていない場合（ステップＳ１１０：ＮＯ）、スマートフォン２００のＣＰＵ２０５は、次の撮影に備えて、処理をステップＳ１０４に戻す。以下、既に説明した通り、カメラボディ１００の電源が遮断される（ステップＳ１１１：ＹＥＳ）、ステップＳ１０４からステップＳ１１１までの処理が繰り返される。
【００６６】
なお、上記撮像システム９９の一連の処理において、例えばスマートフォン２００に通話の着信があった場合は、予めカメラボディ１００またはスマートフォン２００に設定した指示に従って、通話の割り込みを許しても禁止してもよい。また、ＣＰＵ１０５、２０５の処理容量に余裕があれば、通話と撮影を並列処理してもよい。
【００６７】
また、上記のように、画像データがカメラボディ１００からスマートフォン２００に転送された時点で、カメラボディ１００のＣＰＵ１０５は処理から解放される。よって、カメラボディ１００における処理と、スマートフォン２００における処理とがバランスするように、処理内容を按分することが好ましい。また、ステップＳ１０２において、カメラボディ１００の処理容量とスマートフォン２００の処理容量を比較して、装着されたスマートフォン２００の性能に応じて処理の分配を変更してもよい。
【００６８】
図７は、撮像システム９９の背面図である。図示の撮像システム９９におけるスマートフォン２００は、図２に示した状態と比較すると、横回転軸ＸＨの周りに１８０度回転して、対面カメラ２２０、スピーカ２３０、表示部２４０、操作ボタン２５０およびマイクロフォン２６０等の各部を、撮像システム９９に露出している。
【００６９】
これにより、撮像システム９９は、背面に表示部２４０を備えた撮像装置として使用できる。また、スマートフォン２００の、操作ボタン２５０、表示部２４０のタッチパネル機能等を、撮像システム９９の操作部の一部として使用できる。
【００７０】
更に、スマートフォン２００のスピーカ２３０を利用して警告音、音声ガイド等を発生すること、マイクロフォン２６０を利用して音声メモを録音すること、音声指示により撮像システム９９を操作することもできる。これらの機能は、例えば、スマートフォン２００にそのような機能を実行させるプログラムをインストールすることにより実現できる。
【００７１】
図８は、図７に示した状態の撮像システム９９を上方から見下ろした様子を示す平面図である。他の図に示した撮像システム９９と共通の要素には同じ参照番号を付して重複する説明を省く。
【００７２】
スマートフォン２００は、スピーカ２３０が配された図中右側の端部近傍に近接無線転送カプラ２７１を備えている場合がある。このような場合、保持部１７０に内蔵された近接無線転送カプラ１７１では、スマートフォン２００の近接無線転送カプラ２７１と近距離通信ができない。
【００７３】
そこで、カメラボディ１００の保持領域１８０において、近接無線転送カプラ２７１に対応する領域に近接無線転送カプラ１７１を埋設してもよい。これにより、保持部１７０に装着したスマートフォン２００を、カメラボディ１００の背面に重なるように畳み込んだ場合に、近接無線転送カプラ１７１、２７１による近距離通信ができる状態になる。更に、スマートフォン２００が、スピーカ２３０側とマイクロフォン２６０側の双方に近接無線転送カプラ２７１を有する場合は、互いに並列に近距離通信を実行してもよい。
【００７４】
図９は、中継部１９０の拡大図である。他の図と共通の要素には同じ参照番号を付して重複する説明を省く。
【００７５】
中継部１９０は、リングを回転させることによりＢＮＣコネクタ１９８の結合を解き、保持部１７０のＢＮＣレセプタクル１７８から取り外すことができる。これにより、ＢＮＣコネクタ１９８を備えた他の中継部１９１と交換できる。
【００７６】
他のＢＮＣコネクタ１９８は、例えば、ダミーコネクタ１９６の形状が異なり、機種の異なるスマートフォン２００を中継部１９０に結合できる。よって、ダミーコネクタ１９６の形状が適合する中継部１９０さえ供給されていれば、様々なスマートフォン２００をカメラボディ１００に装着して撮像システム９９を形成できる。
【００７７】
なお、中継部１９０を脱着する目的でＢＮＣコネクタ１９８のリングを回転させる場合に、横軸回転部１７６が共に回転しないように、横軸回転ロックノブ１７５を設けてもよい。横軸回転ロックノブ１７５は、横軸回転部１７６に向かって押し込まれている場合に限って、横軸回転部１７６の回転を抑止する。
【００７８】
図１０は、保持部１７０の側面図である。他の図と共通の要素には同じ参照番号を付して重複する説明を省く。
【００７９】
保持部１７０は、カメラボディ１００から取り外すことができてもよい。即ち、保持部１７０は、カメラボディ１００のレセプタクル１８１に挿入されたコネクタ１７９を介して、カメラボディ１００に電気的に結合されると共に、カメラボディ１００に対して機械的に結合される。フック解除ボタン１７７を押し込んだ場合、保持部１７０は、カメラボディ１００から抜き取ることができる。
【００８０】
このような構造により、カメラボディ１００に装着する保持部１７０を交換して、更に多様なスマートフォン２００をカメラボディ１００の背面に装着できる。例えば、スマートフォン２００自体に表示部２４０を回転させる機能が設けられている場合、保持部１７０に縦軸回転部１７４および横軸回転部１７６は不要になる。また、保持部１７０とカメラボディ１００との間に電気的な接続が不要な場合は、コネクタ１７９の電気的な接点を省いて、より廉価な保持部１７０を提供できる。
【００８１】
更に、保持部１７０におけるコネクタ１７９およびＢＮＣレセプタクル１７８の接続等を変更することにより、保持部１７０を他の用途に用いることもできる。例えば、保持部１７０および中継部１９０を介して、カメラボディ１００からスマートフォン２００に電力を供給してもよい。また、スマートフォン２００を保持部１７０から取り外した場合に、空いたスペースにソーラセル等の予備電池等を配してもよい。
【００８２】
また更に、撮像システム９９を用いる状況に応じて、カメラボディ１００に装着するスマートフォン２００を他の電子機器に変更してもよい。例えば、撮影に専念する場合は、最小限の表示機能、操作機能および近接通信機能を備えた小型で軽量の電子機器を装着すればよい。また、撮影後に画像処理をする場合は、情報処理性能が高いＰＤＡを装着してもよい。
【００８３】
このように、保持部１７０および中継部１９０を交換できる構造にすることにより、様々な機種のスマートフォン２００をカメラボディ１００に装着して撮像システム９９を形成できる。更に、スマートフォン２００以外の電子機器、例えば、ＰＤＡ（Ｐｅｒｓｏｎａｌ  Ｄｉｇｉｔａｌ  Ａｓｓｉｓｔａｎｔ）、ＭＰ３プレーヤ、電子辞書等のように、表示部２４０および操作部と近接無線転送カプラ２７１とを併せ備える他の電子機器をカメラボディ１００に装着して撮像システム９９を形成することができる。
【００８４】
更に、上記実施の形態では、カメラボディ１００とスマートフォン２００の間の通信にトランスファジェットを用いた例を示した。しかしながら、他の近距離通信技術、例えば、Ｂｌｕｅｔｏｏｔｈ（登録商標）、無線ＵＳＢ（ＷＵＳＢ）、赤外線通信（ＩｒＤＡ＿ＤＡＴＡ）、無線ＬＡＮ（ＩＥＥＥ８０２．１１）等を用いてもよいことはもちろんである。更に、無線による信号伝送にとどまらず、電力も、カメラボディ１００からスマートフォン２００へ、あるいは、スマートフォン２００からカメラボディ１００へ、無線で供給してもよい。
【００８５】
以上、本発明を実施の形態を用いて説明したが、本発明の技術的範囲は上記実施の形態に記載の範囲には限定されない。上記実施の形態に、多様な変更または改良を加え得ることが当業者に明らかである。その様な変更または改良を加えた形態も本発明の技術的範囲に含まれ得ることが特許請求の範囲の記載から明らかである。
【００８６】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず」、「次に」等を用いて説明したとしても、この順で実施することが必須であることを意味するものではない。
【符号の説明】
【００８７】
９９  撮像システム、１００  カメラボディ、１０１、２０１  システムメモリ、１０２、２０２  メインメモリ、１０３  合焦センサ、１０４  測光センサ、１０５、２０５  ＣＰＵ、１０６、２０６  近距離通信部、１０７  撮像部、１１０  ファインダ、１１１  撮像素子駆動部、１１２  撮像素子、１１３、２０９  アナログデジタル変換部、１１４  内蔵画像処理部、１２０  電源スイッチ、１３０  レリーズボタン、１３２  グリップ、１３４  マウント、１３６  レンズユニット、１４０  補助表示部、１５０  押しボタン、１６０  十字キー、１７０  保持部、１７１、２７１  近接無線転送カプラ、１７３、２７３  到達範囲、１７２  固定部、１７４  縦軸回転部、１７５  横軸回転ロックノブ、１７６  横軸回転部、１７７、１９２  フック解除ボタン、１７８  ＢＮＣレセプタクル、１７９  コネクタ、１８０  保持領域、１８１  レセプタクル、１９０、１９１  中継部、１９４  フック、１９６  ダミーコネクタ、１９８  ＢＮＣコネクタ、２００  スマートフォン、２０３  ベースバンド部、２０４  ＲＦ部、２０７  二次記憶媒体、２０８  デジタルアナログ変換部、２１０  背面カメラ、２１１  ＧＰＳユニット、２１２  加速センサ、２２０  対面カメラ、２３０  スピーカ、２４０  表示部、２５０  操作ボタン、２６０  マイクロフォン
【図１】
2013165373.tif 000003
【図２】
2013165373.tif 000004
【図３】
2013165373.tif 000005
【図４】
2013165373.tif 000006
【図５】
2013165373.tif 000007
【図６】
2013165373.tif 000008
【図７】
2013165373.tif 000009
【図８】
2013165373.tif 000010
【図９】
2013165373.tif 000011
【図１０】
2013165373.tif 000012